【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
ガラス基板２枚の間に液晶層を設けた液晶セルと、
該液晶セルの両面に設けた偏光板と、該液晶セルのリア側（非視認側）に設けたバックライトを含んでなる液晶表示装置であって、
液晶セルのフロント側（視認側）に設けた偏光板は、２５℃相対湿度６０％おける偏光板の含水率と下記条件（Ａ）経時直後における偏光板の含水率の差が０．０１％以上４．０％以下である、液晶表示装置。
［条件（Ａ）：４０℃相対湿度９５％の環境に２４時間放置］
【請求項２】
前記フロント側偏光板は、偏光子のフロント側（視認側）の面に配置された偏光板保護フィルムＦ１を有し、
偏光板保護フィルムＦ１は、透湿度が２００ｇ／ｍ２／ｄａｙ以下であり、熱可塑性樹脂フィルムと、該熱可塑性樹脂フィルム上に積層された低透湿層を有する、請求項１に記載の液晶表示装置。
（ただし、透湿度は、ＪＩＳ  Ｚ−０２０８の手法で、４０℃、相対湿度９０％で２４時間経過後の値である。）
【請求項３】
前記偏光板保護フィルムＦ１の低透湿層の少なくとも１つが、下記式（１）を満たす低透湿層である、請求項２に記載の液晶表示装置。
式（１）  Ａ／Ｂ≦０．９
（式（１）中、Ａは前記熱可塑性樹脂フィルムに前記低透湿層を積層したフィルムの透湿度を表し、Ｂは前記熱可塑性樹脂フィルムの透湿度を表す。ただし、透湿度は、ＪＩＳ
Ｚ−０２０８の手法で、４０℃、相対湿度９０％で２４時間経過後の値である。）
【請求項４】
前記熱可塑性樹脂フィルムに含まれる熱可塑性樹脂が、（メタ）アクリル系樹脂、ポリカーボネート系樹脂、ポリスチレン系樹脂、環状ポリオレフィン系樹脂、グルタル酸無水物系樹脂、グルタルイミド系樹脂、セルロース系樹脂、およびこれらから選ばれた複数種の樹脂の混合樹脂である、請求項２又は３に記載の液晶表示装置。
【請求項５】
前記フロント側（視認側）偏光板はフロント側（視認側）の面に配置された偏光板保護フィルムＦ1を有し、偏光板保護フィルムＦ１が下記式（Ｉ）、（Ｖ）を満たすフィルムである、請求項１に記載の液晶表示装置。
式（Ｉ）    Ｒｅ＝（ｎｘ−ｎｙ）×ｄ
式（Ｖ）    ３０００ｎｍ≦Ｒｅ≦３００００ｎｍ
（式（Ｉ）、（Ｖ）中、ｎｘは前記偏光板保護フィルムＦ１のフィルム面内の遅相軸方向の屈折率であり、ｎｙは前記偏光板保護フィルムＦ１のフィルム面内の進相軸方向の屈折率であり、ｄは前記偏光板保護フィルムＦ１の膜厚（ｎｍ）である。）
【請求項６】
前記フロント側（視認側）偏光板はフロント側（視認側）の面に配置された偏光板保護フィルムＦ１を有し、偏光板保護フィルムＦ１が下記式（ＶI）、（ＶII）を満たすフィルムである、請求項５に記載の液晶表示装置。
式（ＶＩ）    Ｎｚ＝（ｎｘ−ｎｚ）/（ｎｘ−ｎｙ）
式（ＶＩＩ）  Ｎｚ≦２．０
（式（ＶＩ）中、ｎｘは前記偏光板保護フィルムＦ１のフィルム面内の遅相軸方向の屈折率であり、ｎｙは前記偏光板保護フィルムＦ１のフィルム面内の進相軸方向の屈折率であり、ｎｚは前偏光板保護フィルムＦ１の膜厚方向の屈折率である。）
【請求項７】
前記偏光板保護フィルムＦ１が、ポリエステル系樹脂またはポリカーボネート系樹脂である、請求項２、５、又は６のいずれか一項に記載の液晶表示装置。
【請求項８】
前記偏光板保護フィルムＦ１は、透湿度が７５ｇ／ｍ２／ｄａｙ以下である、請求項２〜７のいずれか一項に記載の液晶表示装置。
（ただし、透湿度は、ＪＩＳ  Ｚ−０２０８の手法で、４０℃、相対湿度９０％で２４時間経過後の値である。）
【請求項９】
前記フロント側偏光板は、偏光子の液晶セル側の面に配置された偏光板保護フィルムＦ２を有し、
前記偏光板保護フィルムＦ２は熱可塑性樹脂フィルムであり、
前記熱可塑性樹脂フィルムに含まれる熱可塑性樹脂が、（メタ）アクリル系樹脂、ポリカーボネート系樹脂、ポリスチレン系樹脂、環状ポリオレフィン系樹脂、グルタル酸無水物系樹脂、グルタルイミド系樹脂、セルロース系樹脂およびこれらから選ばれた複数種の樹脂の混合樹脂である、請求項１〜８のいずれか一項に記載の液晶表示装置。
【請求項１０】
液晶セルのリア側（非視認側）に設けた偏光板は、２５℃相対湿度６０％における偏光板の含水率と下記条件（Ａ）経時直後における偏光板の含水率の差が０．０１％以上４．０％以下である、請求項１〜９のいずれか一項に記載の液晶表示装置。
［条件（Ａ）：４０℃相対湿度９５％の環境に２４時間放置］
【請求項１１】
前記リア側偏光板は、偏光子のバックライト側の面に配置された偏光板保護フィルムＦ４を有し、
前記偏光板保護フィルムＦ４が、透湿度が２００ｇ／ｍ２／ｄａｙ以下であり、熱可塑性樹脂フィルムと、該熱可塑性樹脂フィルム上に積層された低透湿層とを有する、請求項１０に記載の液晶表示装置。
（ただし、透湿度は、ＪＩＳ  Ｚ−０２０８の手法で、４０℃、相対湿度９０％で２４時間経過後の値である。）
【請求項１２】
前記偏光板保護フィルムＦ４の低透湿層の少なくとも１つが、下記式（１）を満たす低透湿層である、請求項１１に記載の液晶表示装置。
式（１）  Ａ／Ｂ≦０．９
（式（１）中、Ａは前記熱可塑性樹脂フィルムに前記低透湿層を積層したフィルムの透湿度を表し、Ｂは前記熱可塑性樹脂フィルムの透湿度を表す。ただし、透湿度は、ＪＩＳ
Ｚ−０２０８の手法で、４０℃、相対湿度９０％で２４時間経過後の値である。）
【請求項１３】
前記熱可塑性樹脂フィルムに含まれる熱可塑性樹脂が、（メタ）アクリル系樹脂、ポリカーボネート系樹脂、ポリスチレン系樹脂、環状ポリオレフィン系樹脂、グルタル酸無水物系樹脂、グルタルイミド系樹脂、セルロース系樹脂、およびこれらから選ばれた複数種の樹脂の混合樹脂である、請求項１１又は１２に記載の液晶表示装置。
【請求項１４】
前記リア側（非視認側）偏光板はリア側（非視認側）の面に配置された偏光板保護フィルムＦ４を有し、偏光板保護フィルムＦ４が下記式（Ｉ）、（Ｖ）を満たすフィルムである、請求項１０に記載の液晶表示装置。
式（Ｉ）    Ｒｅ＝（ｎｘ−ｎｙ）×ｄ
式（Ｖ）    ３０００ｎｍ≦Ｒｅ≦３００００ｎｍ
（式（Ｉ）、（Ｖ）中、ｎｘは前記偏光板保護フィルムＦ４のフィルム面内の遅相軸方向の屈折率であり、ｎｙは前記偏光板保護フィルムＦ４のフィルム面内の進相軸方向の屈折率であり、ｄは前記偏光板保護フィルムＦ４の膜厚（ｎｍ）である。）
【請求項１５】
前記リア側（非視認側）偏光板はリア側（非視認側）の面に配置された偏光板保護フィルムＦ４を有し、偏光板保護フィルムＦ４が下記式（ＶI）、（ＶII）を満たすフィルムである、請求項１４に記載の液晶表示装置。
式（ＶＩ）    Ｎｚ＝（ｎｘ−ｎｚ）/（ｎｘ−ｎｙ）
式（ＶＩＩ）  Ｎｚ≦２．０
（式（ＶＩ）中、ｎｘは前記偏光板保護フィルムＦ４のフィルム面内の遅相軸方向の屈折率であり、ｎｙは前記偏光板保護フィルムＦ４のフィルム面内の進相軸方向の屈折率であり、ｎｚは前偏光板保護フィルムＦ４の膜厚方向の屈折率である。）
【請求項１６】
前記偏光板保護フィルムＦ４が、ポリエステル系樹脂またはポリカーボネート系樹脂である、請求項１１、１４、又は１５のいずれか一項に記載の液晶表示装置。
【請求項１７】
前記偏光板保護フィルムＦ４は、透湿度が７５ｇ／ｍ２／ｄａｙ以下である、請求項１１〜１６のいずれか一項に記載の液晶表示装置。
（ただし、透湿度は、ＪＩＳ  Ｚ−０２０８の手法で、４０℃、相対湿度９０％で２４時間経過後の値である。）
【請求項１８】
前記リア側偏光板は、偏光子の液晶セル側の面に配置された偏光板保護フィルムＦ３を有し、
前記偏光板保護フィルムＦ３は熱可塑性樹脂フィルムであり、
前記熱可塑性樹脂フィルムに含まれる熱可塑性樹脂が、（メタ）アクリル系樹脂、ポリカーボネート系樹脂、ポリスチレン系樹脂、環状ポリオレフィン系樹脂、グルタル酸無水物系樹脂、グルタルイミド系樹脂、セルロース系樹脂およびこれらから選ばれた複数種の樹脂の混合樹脂である、請求項１０〜１７のいずれか一項に記載の液晶表示装置。
【請求項１９】
前記液晶セルのガラス基板が、厚さ０．５ｍｍ以下である、請求項１〜１８のいずれか一項に記載の液晶表示装置。 
【手続補正２】
【補正対象書類名】明細書
【補正対象項目名】００１１
【補正方法】変更
【補正の内容】
【００１１】
［１］
ガラス基板２枚の間に液晶層を設けた液晶セルと、
上記液晶セルの両面に設けた偏光板と、上記液晶セルのリア側（非視認側）に設けたバックライトを含んでなる液晶表示装置であって、
液晶セルのフロント側（視認側）に設けた偏光板は、２５℃相対湿度６０％おける偏光板の含水率と下記条件（Ａ）経時直後における偏光板の含水率の差が０．０１％以上４．０％以下である、液晶表示装置。
［条件（Ａ）：４０℃相対湿度９５％の環境に２４時間放置］
［２］
上記フロント側偏光板は、偏光子のフロント側（視認側）の面に配置された偏光板保護フィルムＦ１を有し、
偏光板保護フィルムＦ１は、透湿度が２００ｇ／ｍ２／ｄａｙ以下であり、熱可塑性樹脂フィルムと、上記熱可塑性樹脂フィルム上に積層された低透湿層を有する、［１］に記載の液晶表示装置。
（ただし、透湿度は、ＪＩＳ  Ｚ−０２０８の手法で、４０℃、相対湿度９０％で２４時間経過後の値である。）
［３］
上記偏光板保護フィルムＦ１の低透湿層の少なくとも１つが、下記式（１）を満たす低透湿層である、［２］に記載の液晶表示装置。
式（１）  Ａ／Ｂ≦０．９
（式（１）中、Ａは上記熱可塑性樹脂フィルムに上記低透湿層を積層したフィルムの透湿度を表し、Ｂは上記熱可塑性樹脂フィルムの透湿度を表す。ただし、透湿度は、ＪＩＳ
Ｚ−０２０８の手法で、４０℃、相対湿度９０％で２４時間経過後の値である。）
［４］
上記熱可塑性樹脂フィルムに含まれる熱可塑性樹脂が、（メタ）アクリル系樹脂、ポリカーボネート系樹脂、ポリスチレン系樹脂、環状ポリオレフィン系樹脂、グルタル酸無水物系樹脂、グルタルイミド系樹脂、セルロース系樹脂、およびこれらから選ばれた複数種の樹脂の混合樹脂である、［２］又は［３］に記載の液晶表示装置。
［５］
上記フロント側（視認側）偏光板はフロント側（視認側）の面に配置された偏光板保護フィルムＦ１を有し、偏光板保護フィルムＦ１が下記式（Ｉ）、（Ｖ）を満たすフィルムである、［１］に記載の液晶表示装置。
式（Ｉ）    Ｒｅ＝（ｎｘ−ｎｙ）×ｄ
式（Ｖ）    ３０００ｎｍ≦Ｒｅ≦３００００ｎｍ
（式（Ｉ）、（Ｖ）中、ｎｘは上記偏光板保護フィルムＦ１のフィルム面内の遅相軸方向の屈折率であり、ｎｙは上記偏光板保護フィルムＦ１のフィルム面内の進相軸方向の屈折率であり、ｎｚは前偏光板保護フィルムＦ１の膜厚方向の屈折率であり、ｄは上記偏光板保護フィルムＦ１の膜厚（ｎｍ）である。）
［６］
上記フロント側（視認側）偏光板はフロント側（視認側）の面に配置された偏光板保護フィルムＦ１を有し、偏光板保護フィルムＦ１が下記式（ＶＩ）、（ＶＩＩ）を満たすフィルムである、［１］または［５］に記載の液晶表示装置。
式（ＶＩ）    Ｎｚ＝（ｎｘ−ｎｚ）/（ｎｘ−ｎｙ）
式（ＶＩＩ）  Ｎｚ≦２．０
（式（ＶＩ）中、ｎｘは上記偏光板保護フィルムＦ１のフィルム面内の遅相軸方向の屈折率であり、ｎｙは上記偏光板保護フィルムＦ１のフィルム面内の進相軸方向の屈折率であり、ｎｚは前偏光板保護フィルムＦ１の膜厚方向の屈折率であり、ｄは上記偏光板保護フィルムＦ１の膜厚（ｎｍ）である。）
［７］
上記偏光板保護フィルムＦ１が、ポリエステル系樹脂またはポリカーボネート系樹脂である、［２］、［５］、［６］のいずれかに記載の液晶表示装置。
［８］
上記偏光板保護フィルムＦ１は、透湿度が７５ｇ／ｍ２／ｄａｙ以下である、［２］〜［７］のいずれかに記載の液晶表示装置。
（ただし、透湿度は、ＪＩＳ  Ｚ−０２０８の手法で、４０℃、相対湿度９０％で２４時間経過後の値である。）
［９］
上記フロント側偏光板は、偏光子の液晶セル側の面に配置された偏光板保護フィルムＦ２を有し、
上記偏光板保護フィルムＦ２は熱可塑性樹脂フィルムであり、
上記熱可塑性樹脂フィルムに含まれる熱可塑性樹脂が、（メタ）アクリル系樹脂、ポリカーボネート系樹脂、ポリスチレン系樹脂、環状ポリオレフィン系樹脂、グルタル酸無水物系樹脂、グルタルイミド系樹脂、セルロース系樹脂およびこれらから選ばれた複数種の樹脂の混合樹脂である、［１］〜［８］のいずれかに記載の液晶表示装置。
［１０］
液晶セルのリア側（非視認側）に設けた偏光板は、２５℃相対湿度６０％における偏光板の含水率と下記条件（Ａ）経時直後における偏光板の含水率の差が０．０１％以上４．０％以下である、［１］〜［９］のいずれかに記載の液晶表示装置。
［条件（Ａ）：４０℃相対湿度９５％の環境に２４時間放置］
［１１］
上記リア側偏光板は、偏光子のバックライト側の面に配置された偏光板保護フィルムＦ４を有し、
上記偏光板保護フィルムＦ４が、透湿度が２００ｇ／ｍ２／ｄａｙ以下であり、熱可塑性樹脂フィルムと、上記熱可塑性樹脂フィルム上に積層された低透湿層とを有する、［１０］に記載の液晶表示装置。
（ただし、透湿度は、ＪＩＳ  Ｚ−０２０８の手法で、４０℃、相対湿度９０％で２４時間経過後の値である。）
［１２］
上記偏光板保護フィルムＦ４の低透湿層の少なくとも１つが、下記式（１）を満たす低透湿層である、［１１］に記載の液晶表示装置。
式（１）  Ａ／Ｂ≦０．９
（式（１）中、Ａは上記熱可塑性樹脂フィルムに上記低透湿層を積層したフィルムの透湿度を表し、Ｂは上記熱可塑性樹脂フィルムの透湿度を表す。ただし、透湿度は、ＪＩＳ
Ｚ−０２０８の手法で、４０℃、相対湿度９０％で２４時間経過後の値である。）
［１３］
上記熱可塑性樹脂フィルムに含まれる熱可塑性樹脂が、（メタ）アクリル系樹脂、ポリカーボネート系樹脂、ポリスチレン系樹脂、環状ポリオレフィン系樹脂、グルタル酸無水物系樹脂、グルタルイミド系樹脂、セルロース系樹脂、およびこれらから選ばれた複数種の樹脂の混合樹脂である、［１１］又は［１２］に記載の液晶表示装置。
［１４］
上記リア側（非視認側）偏光板はリア側（非視認側）の面に配置された偏光板保護フィルムＦ４を有し、偏光板保護フィルムＦ４が下記式（Ｉ）、（Ｖ）を満たすフィルムである、［１０］に記載の液晶表示装置。
式（Ｉ）    Ｒｅ＝（ｎｘ−ｎｙ）×ｄ
式（Ｖ）    ３０００ｎｍ≦Ｒｅ≦３００００ｎｍ
（式（Ｉ）、（Ｖ）中、ｎｘは上記偏光板保護フィルムＦ４のフィルム面内の遅相軸方向の屈折率であり、ｎｙは上記偏光板保護フィルムＦ４のフィルム面内の進相軸方向の屈折率であり、ｎｚは前偏光板保護フィルムＦ４の膜厚方向の屈折率であり、ｄは上記偏光板保護フィルムＦ４の膜厚（ｎｍ）である。）
［１５］
上記リア側（非視認側）偏光板はリア側（非視認側）の面に配置された偏光板保護フィルムＦ４を有し、偏光板保護フィルムＦ４が下記式（ＶＩ）、（ＶＩＩ）を満たすフィルムである、［１０］または［１４］に記載の液晶表示装置。
式（ＶＩ）    Ｎｚ＝（ｎｘ−ｎｚ）/（ｎｘ−ｎｙ）
式（ＶＩＩ）  Ｎｚ≦２．０
（式（ＶＩ）中、ｎｘは上記偏光板保護フィルムＦ４のフィルム面内の遅相軸方向の屈折率であり、ｎｙは上記偏光板保護フィルムＦ４のフィルム面内の進相軸方向の屈折率であり、ｎｚは前偏光板保護フィルムＦ４の膜厚方向の屈折率であり、ｄは上記偏光板保護フィルムＦ４の膜厚（ｎｍ）である。）
［１６］
上記偏光板保護フィルムＦ４が、ポリエステル系樹脂またはポリカーボネート系樹脂である、［１１］、［１４］、又は［１５］のいずれかに記載の液晶表示装置。
［１７］
上記偏光板保護フィルムＦ４は、透湿度が７５ｇ／ｍ２／ｄａｙ以下である、［１１］〜［１６］のいずれかに記載の液晶表示装置。
（ただし、透湿度は、ＪＩＳ  Ｚ−０２０８の手法で、４０℃、相対湿度９０％で２４時間経過後の値である。）
［１８］
上記リア側偏光板は、偏光子の液晶セル側の面に配置された偏光板保護フィルムＦ３を有し、
上記偏光板保護フィルムＦ３は熱可塑性樹脂フィルムであり、
上記熱可塑性樹脂フィルムに含まれる熱可塑性樹脂が、（メタ）アクリル系樹脂、ポリカーボネート系樹脂、ポリスチレン系樹脂、環状ポリオレフィン系樹脂、グルタル酸無水物系樹脂、グルタルイミド系樹脂、セルロース系樹脂およびこれらから選ばれた複数種の樹脂の混合樹脂である、［１０］〜［１７］のいずれかに記載の液晶表示装置。
［１９］
上記液晶セルのガラス基板が、厚さ０．５ｍｍ以下である、［１］〜［１８］のいずれかに記載の液晶表示装置。